(57)【要約】  【課題】ドアガラス全閉時の底突き衝突音の発生を防止しながらドアグラスラン自体の口開き現象を確実に防止できるようにした昇降式ドアガラスの全閉位置規制装置を提供する。  【解決手段】ドアグラスラン３の下端に感圧センサ８を設ける一方、ドアガラス４には突起１３を設ける。ドアグラスラン３に対してドアガラス４が底突き状態となって、ドアガラス４が全閉位置もしくは閉め切り位置に達した時点で、突起１３との当接により感圧センサ８を作動させて全閉完了信号を出力する。この全閉完了信号をもってパワーウインドレギュレータのモータ１２を停止させ、ドアガラス４とドアグラスラン３との衝突音の発生を防止する。  【選択図】  図２
2006037578.tif 000002
【特許請求の範囲】
【請求項１】
パワーウインドレギュレータにより昇降駆動される自動車用ドアガラスを上昇動作をもって全閉位置まで上昇させてその全閉位置に停止させる装置であって、
ドアサッシュ部に装着されてドアガラス閉時にドアガラスの周縁部を受容しつつこれと圧接することになるドアシール材のうちドアサッシュ部の上辺部に沿う部分の下端であって且つドアガラスの昇降軌跡に近接した位置に、ドアガラスが全閉位置まで上昇したときに直ちにパワーウインドレギュレータのモータを停止させるべく全閉完了信号を出力する感圧センサを設ける一方、
ドアガラスの側面には、ドアガラス自体が全閉位置まで上昇したときに上記感圧センサに当接して、全閉完了信号を出力するのに必要な加圧力を感圧センサに付与する操作部を設けたことを特徴とする昇降式ドアガラスの全閉位置規制装置。
【請求項２】
上記感圧センサは、加圧力の入力方向に応じ全閉完了信号および異物挟み込み信号のうちのいずれかの信号を選択的に出力可能となっていて、
ドアガラス上端と感圧センサとの間での異物を挟み込みをもって加圧力が作用したきには直ちにパワーウインドレギュレータのモータを逆転駆動させるべく異物挟み込み信号を、操作部の当接をもって加圧力が作用したときには全閉完了信号をそれぞれ出力するようになっていることを特徴とする請求項１に記載の昇降式ドアガラスの全閉位置規制装置。
【請求項３】
上記感圧センサは、ドアガラス上端と感圧センサとの間での異物を挟み込みをもって上下方向から加圧力が作用したきには異物挟み込み信号を、操作部の当接をもって横方向から加圧力が作用したときには全閉完了信号をそれぞれ出力するようになっていることを特徴とする請求項２に記載の昇降式ドアガラスの全閉位置規制装置。
【請求項４】
上記ドアガラスの側面に設けられる操作部は、感圧センサへの当接をもってその感圧センサに横方向から加圧力を付与すべく、その当接面を傾斜面としてあることを特徴とする請求項３に記載の昇降式ドアガラスの全閉位置規制装置。
【請求項５】
上記感圧センサは、共通端子と異物挟み込み検知用の端子とを上下方向で対向配置してあるとともに、上記共通端子と全閉位置検知用の端子とを横方向で対向配置してあることを特徴とする請求項４に記載の昇降式ドアガラスの全閉位置規制装置。
【発明の詳細な説明】
【技術分野】
【０００１】
本発明は、自動車における昇降式ドアガラスの全閉位置規制装置に関し、特にパワーウインドレギュレータにて昇降駆動されるドアガラスを上昇動作をもって全閉位置まで上昇させた上でその全閉位置に精度良く停止させるための昇降式ドアガラスの全閉位置規制装置に関するものである。
【背景技術】
【０００２】
この種の装置として、例えば特許文献１に記載のように、自動車の昇降式ドアガラスの全閉時におけるいわゆる閉め切り圧力を検知し、その圧力の増加をもって直ちにパワーウインドレギュレータのモータを停止させるようにしたものが提案されている。
【０００３】
より具体的には、上記特許文献１に記載のものでは、図７に示すように、ドアシール材としてのドアグラスラン５０を内包しつつドアサッシュの一部を形成しているグラスランチャンネル５１の内底部とドアグラスラン５０の外底部との間に感圧センサ５２を介在させて、ドアガラス５３の全閉時にドアガラス５３がドアグラスラン５０の内底部に圧接していわゆる底突き状態となるとそれを感圧センサ５２が検知し、その検知信号の出力をもって、昇降制御装置５４にて制御されるパワーウインドレギュレータのモータ５５を直ちに停止させつつ、ドアガラス５３をその全閉位置に保持させるようになっている。
【特許文献１】特開平９−１３２０２８号公報（図４）
【発明の開示】
【発明が解決しようとする課題】
【０００４】
このような従来の技術では、ドアガラス５３を案内しつつ車室内外をシールすることになる断面略コ字状のドアグラスラン５０がその外側の同じく断面略コ字状のグラスランチャンネル５１に嵌合保持されていて、実質的にドアグラスラン５０の底壁部が剛性の高いグラスランチャンネル５１にてバックアップされているため、ドアガラス５３の全閉時には直ちに感圧センサ５２が感知し得るだけの圧力上昇が認められ、所期の目的を達成することが可能である。
【０００５】
その一方、例えば図８に示すようにドアサッシュ部が二枚のパネル５６，５７のみにより構成されていて、ドアグラスラン５８の底壁部が実質的にグラスランチャンネルによってバックアップされていない場合には、特許文献１に記載の構造を採用することができない。そのため、図８のような構造の場合には、ドアガラス５３の全閉時にそのドアガラス５３がドアグラスラン５８に対していわゆる底突き状態となって、パワーウインドレギュレータのモータの電流値が設定値を超えたことを条件に初めてモータを停止させる方式を採用せざるを得ず、したがって、ドアガラス５３が底突き状態となった時に衝突音が発生するとともに、底付き状態になってから実際にモータが停止するまでに時間遅れがあるために、ドアグラスラン５８全体が内側の引っ張られることで特にアウタリップ５９が同図の仮想線のようにいわゆる口開きすることとなって好ましくない。
【０００６】
本発明はこのような課題に着目してなされたものであり、とりわけドアガラス全閉時の底突き衝突音の発生を防止しながらドアグラスラン自体の口開き現象を確実に防止できるようにした昇降式ドアガラスの全閉位置規制装置を提供しようとするものである。
【課題を解決するための手段】
【０００７】
請求項１に記載の発明は、パワーウインドレギュレータにより昇降駆動される自動車用ドアガラスを上昇動作をもって全閉位置まで上昇させてその全閉位置に停止させる全閉位置規制装置であることを前提としている。
【０００８】
その上で、ドアサッシュ部に装着されてドアガラス閉時にドアガラスの周縁部を受容しつつこれと圧接することになるドアシール材のうちドアサッシュ部の上辺部に沿う部分の下端であって且つドアガラスの昇降軌跡に近接した位置に、ドアガラスが全閉位置まで上昇したときに直ちにパワーウインドレギュレータのモータを停止させるべく全閉完了信号を出力する感圧センサを設ける一方、ドアガラスの側面には、ドアガラス自体が全閉位置まで上昇したときに上記感圧センサに当接して、全閉完了信号を出力するのに必要な加圧力を感圧センサに付与する操作部を設けたことを特徴とする。
【０００９】
ここに言うドアシール材とは、先に述べたようなドアサッシュ部の一部を形成することになるグラスランチャンネルを併用しているか否かに関わらず、主として断面が略チャンネル形状をなすドアグラスランを想定している。
【００１０】
この場合、先に述べたような異物挟み込み防止機能を具備させる上では、請求項２に記載のように、上記感圧センサとして、加圧力の入力方向に応じ全閉完了信号および異物挟み込み信号のうちのいずれかの信号を選択的に出力可能なものを採用する一方、ドアガラス上端と感圧センサとの間での異物を挟み込みをもって加圧力が作用したきには直ちにパワーウインドレギュレータのモータを逆転駆動させるべく異物挟み込み信号を、操作部の当接をもって加圧力が作用したときには全閉完了信号をそれぞれ出力するようになっていることが望ましい。
【００１１】
より望ましくは、請求項３に記載のように、上記感圧センサは、ドアガラス上端と感圧センサとの間での異物を挟み込みをもって上下方向から加圧力が作用したきには異物挟み込み信号を、操作部の当接をもって横方向から加圧力が作用したときには全閉完了信号をそれぞれ出力するようになっているものとする。
【００１２】
より具体的には、請求項４に記載のように、上記ドアガラスの側面に設けられる操作部は、感圧センサへの当接をもってその感圧センサに横方向から加圧力を付与すべく、その当接面を傾斜面とする。
【００１３】
さらに、請求項５に記載のように、上記感圧センサは、共通端子と異物挟み込み検知用の端子とを上下方向で対向配置してあるとともに、上記共通端子と全閉位置検知用の端子とを横方向で対向配置してあるものとする。
【００１４】
したがって、少なくとも請求項１に記載の発明では、図示外のスイッチ操作に基づきパワーウインドレギュレータのモータを作動させて、ドアガラスの上昇動作をもって閉止操作を行った場合、ドアガラスの上端がドアシール材に圧接して全閉状態（閉め切り状態）となるのと同時に、ドアガラス側の操作部材が感圧センサに当接し、感圧センサは直ちに全閉完了信号を出力する。この全閉完了信号を受けてパワーウインドレギュレータのモータが停止し、ドアガラスはその全閉位置（閉め切り位置）に保持される。
【００１５】
この場合、従来のようにドアシール材に対して実際にドアガラスがいわゆる底突き状態となった状態をもって全閉状態とするのではのではのでなく、上記のようにドアガラスが底突き状態となったならばドアガラス側の操作部がドアシール材の下端の感圧センサに当接して全閉完了信号を発するように予めそれらの感圧センサと操作部の相対位置関係を設定しておくことにより、従来のように底突き状態をもって衝突音が発生することもなく、またドアシール材が過剰な引張力を受けていわゆる口開き現象を生ずることもなくなる。
【００１６】
また、請求項２〜５に記載の発明のように、ドアガラス上端と感圧センサとの間での異物を挟み込みをもって加圧力が作用したきには直ちにパワーウインドレギュレータのモータを逆転駆動させるべく感圧センサが異物挟み込み信号を、操作部の当接をもって加圧力が作用したときには同じく感圧センサが全閉完了信号をそれぞれ出力するようになっていると、万が一異物を挟み込んだときには、ドアガラス閉止動作の途中から直ちに反転動作、すなわちパワーウインドレギュレータのモータを逆転駆動させてドアガラスを逆に全開状態とすることが可能となる。
【発明の効果】
【００１７】
請求項１に記載の発明によれば、ドアガラスがドアシール材に対しいわゆる底突き状態となって実質的に全閉状態もしくは閉め切り状態となった際の衝突音の発生を未然に防止することができるから、乗員に違和感を与えることがなくなるばかりでなく、ドアシール材のいわゆる口開き現象の発生も未然に防止することができ、見栄えの向上とドアシール材自体のシール性の向上が図れる。
【００１８】
また請求項２〜５に記載の発明によれば、感圧センサが異物挟み込み信号と全閉完了信号を選択的に出力可能であることから、併せて異物挟み込み防止機能を発揮させることができ、安全性が一段と向上する。
【発明を実施するための最良の形態】
【００１９】
図１〜３は本発明のより具体的な第１の実施の形態を示す図であり、特に図１は自動車の要部側面図を、図２は図１のａ−ａ線に沿うドアガラス全閉時の拡大断面図、すなわちドアサッシュ部の上辺部の断面図であって且つ図８と同様にいわゆるチャンネルレスタイプのドアサッシュ部の断面図を示している。
【００２０】
図１および図２，３に示すように、フロント側のドア１において、アウタパネル２ａとインナパネル２ｂとをもって形成されるドアサッシュ部２にはドアシール材として断面略チャンネル状をなすドアグラスラン３が嵌合保持されていて、このドアグラスラン３によってドアガラス４が昇降可能に案内支持されているとともに、全閉状態ではそのドアグラスラン３によって車室内外がシールされることになる。そして、断面略チャンネル状をなすドアグラスラン３は例えば公知のようにソリッドゴムにて形成されているとともに、ドアサッシュ部２を形成しているアウタパネル２ａとインナパネル２ｂとに嵌合保持されていて、ドアガラス４は、ドア１の本体部に内蔵された図示外のパワーウインドレギュレータによって昇降駆動される。
【００２１】
ドアグラスラン３自体は、断面チャンネル状のグラスラン本体部５の開口縁にその内方に向かって一対の斜状のシールリップ６ａ，６ｂが突出形成されているとともに、同じくグラスラン本体部５の開口縁からその外方に向かってアウタリップ７ａとインナリップ７ｂが突出形成されている。そして、ドアガラス４の全閉時たるドアガラス閉め切り状態では、図２に示すようにグラスラン本体部５がドアガラス４の周縁部を受容する一方で、ドアガラス４に一対のシールリップ６ａ，６ｂが弾接もしくは圧接しながらドアガラス４の上端がグラスラン本体部５の底壁部５ａに弾接もしくは圧接していわゆる底突き状態をもってその状態を維持することになる。
【００２２】
また、ドアサッシュ部２の上辺部におけるドアグラスラン３の下端、より詳しくはドアグラスラン３の開口縁であって且つインナリップ７ｂの根元部には、ドアガラス４の昇降軌跡に近接するようにして部分的に感圧センサ８が配置されている。この感圧センサ８は、図２のほか図３にも示すように、グラスラン本体部５と一体に成形もしくは接着固定されたソリッドゴム製の断面半円状のケーシング９内に、例えば導電性ゴム等からなる上下一対の端子１０ａ，１０ｂを所定距離隔てて対向配置したものであり、各端子１０ａ，１０ｂはパワーウインドレギュレータのモータ１２の制御を司っている昇降制御装置１１に図示外のハーネスを介して接続されている。なお、後述するように、感圧センサ８が潰れ変形したときには端子１０ａ，１０ｂ同士が導通し、感圧センサ８は所定の信号を出力することになる。
【００２３】
他方、ドアガラス４の車室内側の上端部には、上記感圧センサ８と当接可能な位置に操作部として例えば樹脂製の突起１３が接着等にて固定配置されている。この突起１３の位置的条件としては、図２に示すように、ドアガラス４の上端がドアグラスラン３に対していわゆる底突き状態となって実質的にドアガラス４が全閉状態もしくは閉め切り状態となった時点で丁度その突起１３が感圧センサ８に当接して、その感圧センサ８を潰し変形させなが内部の端子１０ａ，１０ｂ同士を接触させることができるような位置に設定されている。
【００２４】
なお、上記の突起１３は、見栄え等を考慮して形状が小さな駒状のものとすることが望ましく、したがって形状の小さな突起１３をもって所期の目的を達成するためには、ドアガラス４の昇降方向において突起１３と対応する位置にだけ局部的に感圧センサ８が配置されていれば良いことになる。また、ドアガラス４に上記突起１３を付帯させた場合には、それと併せてドア１そのもののドアウエスト開口部に逃がし凹部等を形成することにより、例えばドアガラス４の全開時に突起１３がドア１もしくは内装材と干渉するのを容易に回避することができる。
【００２５】
以上のような構造は、図１に示すリア側のドア１４についても基本的に同様となっている。
【００２６】
このような構造において、ドアガラス４が全閉状態もしくは閉め切り状態にない限りは、図３に示すように突起１３が感圧センサ８に当接することもなければ感圧センサ８が潰れ変形することもなく、それらの突起１３や感圧センサ８は何ら機能しない。
【００２７】
その一方、ドアガラス４の全開もしくは半開状態等から全閉状態もしくは閉め切り状態とするべく、図示しないスイッチ操作にてモータ１２を作動させてドアガラス４を上昇動作させた場合には、ドアガラス４は所定の昇降軌跡に沿って上昇して、最終的には図２に示すように、ドアガラス４の上端がグラスラン本体部５の底壁部５ａに圧接もしくは弾接していわゆる底突き状態となった時点で全閉状態もしくは閉め切り状態となる。
【００２８】
ドアガラス４が底突き状態となるのと同時に、同図に示すようにドアガラス４側の突起１３が感圧センサ８に当接してこれを潰れ変形させる。感圧センサ８が潰れ変形すると、上下一対の端子１０ａ，１０ｂ同士が接触して導通し、これをもってドアガラス４の全閉完了信号が出力される。この全閉完了信号は同図の昇降制御装置１１に取り込まれて、直ちにモータ１２を停止させる。その結果、ドアガラス４は同図の全閉状態もしくは閉め切り状態を維持することになる。
【００２９】
このように本実施の形態によれば、ドアガラス４がドアグラスラン３に対して底突き状態となるのと同時に、突起１３の当接によって感圧センサ８が作動して全閉完了信号を出力し、もって直ちにモータ１２の作動を停止させることから、従来のようにドアガラス４が底突き状態となる瞬間に衝突音が発生することがなくなるとともに、底突き状態となった以降はドアグラスラン３が過剰に引っ張られることもないので、ドアグラスラン３におけるアウタリップ７ａ及びインナリップ７ｂの無用な口開きを未然に防止することが可能となる。
【００３０】
図４の（Ａ），（Ｂ）は本発明の第２の実施の形態を示し、図２，３と共通する部分には同一符号を付してある。
【００３１】
この第２の実施の形態では、感圧センサ１８を形成している上下一対の端子１４ａ，１４ｂの配置として、端子１４ａ，１４ｂ同士を車幅方向でわずかにオフセットさせていわゆる斜め方向で所定距離隔てて対向配置する一方、操作部として機能する突起２３の当接面たる上面を傾斜面２３ａとしたものである。
【００３２】
この第２の実施の形態では、突起２３の当接をもって感圧センサ１８が主として横方向に潰れ変形し、それに併せて感圧センサ８の端子１４ａ，１４ｂ同士が横方向から接触，導通することでドアガラス４の全閉完了信号が出力されることになる。
【００３３】
したがって、この第２の実施の形態においても先の第１の実施の形態と同様の効果が得られることになる。
【００３４】
図５，６は本発明の第３の実施の形態を示し、感圧センサ２８を形成している端子の個数および配列が先の第１，第２の実施の形態のものと異なっていて、相互に接触，導通する端子の組み合わせを変えることにより、ドアガラス４の全閉位置規制以外にいわゆる異物挟み込み防止機能を具備させたものである。ただし、この第３の実施の形態においても、先の第１，第２の実施の形態と共通する部分には同一符号を付してある。
【００３５】
この第３の実施の形態では、図５に示すように、感圧センサ２８のケーシング９内に合計三つの端子１５ａ〜１５ｃを配置し、端子１５ｂを共通端子（コモン端子）としてこの共通端子１５ｂと異物挟み込み検知用の端子１５ｃとをケーシング９内の上下方向で所定距離隔てて対向配置する一方、上記共通端子１５ｂと全閉位置検知用の端子１５ａとをケーシング９内の斜め方向で所定距離隔てて対向配置し、感圧センサ２８が潰れ変形しないいわゆる自由状態では、合計三つの端子１５ａ〜１５ｃが互いに接触することがないようにそれぞれの端子１５ａ〜１５ｃの位置を設定してある。
【００３６】
ここで、この実施の形態では、先に述べたように異物挟み込み防止機能を具備させる点を考慮して、ドアガラス４の昇降方向において突起２３と対向する位置にのみ感圧センサを２８設けるのではなく、図１に示すドアサッシュ部２の上辺部のほぼ全長にわたり感圧センサ２８を配置してある。
【００３７】
また、ドアガラス４の上端部内側面に固定配置される操作部としての突起２３について、当接面として機能する上面を傾斜面２３ａとしてある点は先の第２の実施の形態と同様である。
【００３８】
したがって、この第３の実施の形態によれば、ドアガラス４が全閉状態となるときの感圧センサ２８の挙動は先の第２の実施の形態のものと全く同様であって、図６の（Ｂ）に示すように、突起２３の当接をもって感圧センサ２８が主として横方向に潰れ変形し、それに併せて感圧センサ２８の共通端子１５ｂと全閉位置検知用の端子１５ａとが横方向から接触，導通することでドアガラス４の全閉完了信号が出力されることになる。これにより、先の第１，第２の実施の形態と全く同様に、ドアグラスラン３へのドアガラス４の底突きに伴う衝突音の発生とアウタリップ７ａ及びインナリップ７ｂの口開きを未然に防止できることになる。
【００３９】
他方、図６の（Ａ）に示すように、全閉位置もしくは閉め切り位置に向かって上昇動作中のドアガラス４とドアサッシュ部２の上辺部との間に異物３０を挟み込んだ場合には、同図（Ｂ）の場合と異なりその異物３０をもって感圧センサ２８が潰れ変形する故に、感圧センサ２８は主として上下方向に潰れ変形し、それに併せて感圧センサ２８の共通端子１５ｂと異物挟み込み検知用の端子１５ｃとが上下方向から接触，導通することで異物挟み込み信号を出力することになる。この異物挟み込み信号は、上記の全閉完了信号と同様に図２に示す昇降制御装置１１に取り込まれて、昇降制御装置１１では異物挟み込みがあったものと判断して、直ちにドアガラス４を反転動作させる。すなわち、昇降制御装置１１に異物挟み込み信号が入力されると、直ちにモータ１２を逆転駆動させて、ドアガラス４を全開位置まで下降させる。これにより、先の異物挟み込みの初期状態が直ちに解消されて、安全性が確保される。
【００４０】
このように第３の実施の形態によれば、感圧センサ２８が一つでありながらもドアガラス４の全閉位置規制機能に加えて異物挟み込み防止機能を具備しているので、必要とするセンサ数を減らしながら高機能化を達成できるとともに、安全性の向上にも大きく貢献することができる。
【００４１】
なお、以上の各実施の形態では、インナリップ７ｂの根元部相当部に感圧センサ８を配置した場合について例示しているが、感圧センサ８をアウタリップ７ａの根元部相当部に配置しても同様の効果が得られることは言うまでもない。
【図面の簡単な説明】
【００４２】
【図１】自動車の側面説明図。
【図２】本発明のより具体的な第１の実施の形態を示す図で、図１のａ−ａ線に沿うドアガラス全閉時の拡大断面図。
【図３】図２の状態となる前の感圧センサと突起との相互関係を示す要部拡大断面図。
【図４】本発明の第２の実施の形態を示す図で、（Ａ）は感圧センサに突起が当接する前の状態を示す要部拡大断面図、（Ｂ）は感圧センサに突起が当接した時の状態を示す要部拡大断面図。
【図５】本発明の第３の実施の形態を示す図で、感圧センサに突起が当接する前の状態を示す要部拡大断面図。
【図６】図５に示す感圧センサの作動説明図で、（Ａ）は異物挟み込み時の断面説明図、（Ｂ）はドアガラス全閉時の断面説明図。
【図７】従来のドアガラス全閉位置規制装置の一例を示す構成説明図。
【図８】チャンネルレスタイプのドアグラスランランの一例を示す断面説明図。
【符号の説明】
【００４３】
２…ドアサッシュ部
３…ドアグラスラン（ドアシール材）
４…ドアガラス
８…感圧センサ
１０ａ，１０ｂ…端子
１１…昇降制御装置
１２…モータ
１３…突起（操作部）
１４ａ，１４ｂ…端子
１５ａ…全閉位置検知用の端子
１５ｂ…共通端子
１５ｃ…異物挟み込み検知用の端子
１８…感圧センサ
２３…突起（操作部）
２３ａ…傾斜面（当接面）
２８…感圧センサ
【図１】
2006037578.tif 000003
【図２】
2006037578.tif 000004
【図３】
2006037578.tif 000005
【図４】
2006037578.tif 000006
【図５】
2006037578.tif 000007
【図６】
2006037578.tif 000008
【図７】
2006037578.tif 000009
【図８】
2006037578.tif 000010